(57)【特許請求の範囲】
【請求項１】
前後に延びる柄部と、上記柄部の前側に設けられる上面開口凹状の収容部とを備え、上記収容部が、上記柄部の前端面に一体的に設けられる垂直壁部と、上記垂直壁部に着脱自在に取り付けられる略１／４球殻状の凹状部材とで構成され、上記凹状部材の内側に可動板が設けられ、上記可動板の上縁部は、上記垂直壁部に形成された切欠と、これに対応する配置で上記凹状部材に形成された切欠とで構成される凹部と係合することによって上記垂直壁部に対し回動自在に取り付けられ、上記可動板の上縁部以外の他の縁部は、上記凹状部材の内周面に沿って摺動するよう設定され、上記凹状部材の内周面と上記可動板の前壁面とで計量部が形成されるようになっており、上記柄部の一側面に沿って摺動自在に容量調整部が設けられ、上記容量調整部の先端部は可動板と連結されており、上記容量調整部の前進に伴い上記可動板が前方に回動して計量容積が減少し、上記容量調整部の後退に伴い上記可動板が初期位置に戻るように設定されているとともに、上記柄部の他側面に沿って摺動自在に摺り切り部が設けられ、上記摺り切り部が、初期位置では上記計量部上面開口より後方に位置決めされ計量動作後前進して計量部から盛り上がった余剰の計量物を摺り切って除くよう設定され、かつ上記摺り切り部の摺動方向に略直交する部分に、摺り切り状態において上記計量部と連通する計量物排出部が設けられ、計量された計量物が上記計量物排出部を経由して排出されるようになっていることを特徴とする計量用具。
【請求項２】
上記容量調整部が、上記柄部の裏面側に設けられている請求項１記載の計量用具。
【請求項３】
上記柄部に、容量調整部を保護するための保護部が設けられている請求項１または２記載の計量用具。
【請求項４】
上記摺り切り部が、上記収容部の上面開口を覆う蓋体に形成されているとともに、計量物排出部が蓋体の一部を盛り上げ形成することにより形成されている請求項１〜３のいずれか一項に記載の計量用具。
【請求項５】
上記計量物排出部が、内側からみて断面半円状の凹溝に形成されている請求項１〜４のいずれか一項に記載の計量用具。
【請求項６】
上記計量物排出部の開口端が、上記収容部の外周縁から外方に突出している請求項１〜５のいずれか一項に記載の計量用具。
【発明の詳細な説明】
【技術分野】
【０００１】
本発明は、粉状物，粒状物等の計量物を計量するのに用いる計量用具に関するものである。
【背景技術】
【０００２】
一般に、調味料や医薬品等の粉状物等を計量する場合、計量スプーンが用いられる。この計量スプーンは、柄部の先端に設けられた計量部の容量が既知となっており、粉状物等の容量を計量する場合は、その計量部に粉状物等をすくい入れたのち、盛り上がった余剰の粉状物等を摺り切り棒で摺り切って除くことにより、正確な量が計量できるようになっている。
【０００３】
例えば、乳児用の粉ミルクを計量する場合は、購入した粉ミルクに附属している計量スプーン（例えば、計量部の容量２０ｍＬ）を用いて計量する。しかし、乳児の月齢が高くなるにつれて、１回に必要な粉ミルクの量が増えるため、計量スプーンで何回も繰り返し計量しなければならず、煩わしい。また、製造メーカーごとに粉ミルクの嵩が異なるため、異なる製造メーカーの粉ミルクを購入すると、そのメーカーの粉ミルクごとに適するスプーンを複数用いなければならず、やはり煩わしい。
【０００４】
このような問題を解決するため、本発明の出願人らは、特許文献１に示すように、粉状物等の計量を正確かつ簡単に行うことができ、複数種類の容量を計量するのに便利な計量用具をすでに出願し、その特許権を得ている。
【先行技術文献】
【特許文献】
【０００５】
【特許文献１】特許第３２２０４３１号公報
【発明の概要】
【発明が解決しようとする課題】
【０００６】
しかしながら、上記の計量用具は、容量の異なる複数種類の計量部を用意したもので、計量する容量を変更する際には、計量部を取り外し、所望の容量の計量部に付け替える必要がある。このため、計量する容量を変更する度、計量部を交換する手間がかかる上、使用しない計量部を紛失しないよう保管しなければならないため、さらに改良が求められている。
【０００７】
本発明は、このような事情に鑑みなされたもので、複数種類の容量を計量する際、計量部を交換することなく、簡単な操作を行うだけで、目的の容量を計量することができる、使い勝手のよい計量用具の提供をその目的とする。
【課題を解決するための手段】
【０００８】
上記の目的を達成するため、本発明の計量用具は、前後に延びる柄部と、上記柄部の前側に設けられる上面開口凹状の収容部とを備え、上記収容部が、上記柄部の前端面に一体的に設けられる垂直壁部と、上記垂直壁部に着脱自在に取り付けられる略１／４球殻状の凹状部材とで構成され、上記凹状部材の内側に可動板が設けられ、上記可動板の上縁部は、上記垂直壁部に形成された切欠と、これに対応する配置で上記凹状部材に形成された切欠とで構成される凹部と係合することによって上記垂直壁部に対し回動自在に取り付けられ、上記可動板の上縁部以外の他の縁部は、上記凹状部材の内周面に沿って摺動するよう設定され、上記凹状部材の内周面と上記可動板の前壁面とで計量部が形成されるようになっており、上記柄部の一側面に沿って摺動自在に容量調整部が設けられ、上記容量調整部の先端部は可動板と連結されており、上記容量調整部の前進に伴い上記可動板が前方に回動して計量容積が減少し、上記容量調整部の後退に伴い上記可動板が初期位置に戻るように設定されているとともに、上記柄部の他側面に沿って摺動自在に摺り切り部が設けられ、上記摺り切り部が、初期位置では上記計量部上面開口より後方に位置決めされ計量動作後前進して計量部から盛り上がった余剰の計量物を摺り切って除くよう設定され、かつ上記摺り切り部の摺動方向に略直交する部分に、摺り切り状態において上記計量部と連通する計量物排出部が設けられ、計量された計量物が上記計量物排出部を経由して排出されるようになっていることをその要旨とする。
【０００９】
本発明者らは、乳児の月齢が高くなるにつれて、１回に必要な粉ミルクの量が増えるため、計量スプーンで何回も繰り返し計量しなければならないという問題、および、異なる製造メーカーの粉ミルクごとに適するスプーンを複数準備する必要がある等の問題を解決すべく研究を重ねた。そして、その過程で、計量部の容量を任意の量に調整できるようにすると、計量スプーンで何回も繰り返し計量したり、複数の計量部を準備したりする必要がなくなるのではないかと考え、さらに研究を重ねた。その結果、スプーンの形状を、柄部の前側に設けた垂直壁部に略１／４球殻状の凹状部材を着脱自在に取り付けて収容部を形成するとともに、それ自体の上縁部を、上記垂直壁部側の切欠と凹状部材側の切欠とで構成される凹部と係合させて上記垂直壁部に対し回動自在に取り付け他の縁部を上記凹状部材の内周面に沿って摺動する可動板を取り付け、この可動板を動かすことで任意の容量を設定することができる計量部とすることにより、計量スプーンで何回も繰り返し計量したり、複数の計量部を準備する必要がなくなることを突き止めた。そして、このスプーンに、計量部から盛り上がった余剰の計量物を摺り切って除く摺り切り部およびこの摺り切り部に摺り切り状態で計量部と連通する計量物排出部を設け、計量された計量物をこの計量物排出部を経由して排出するようにすると、簡単な操作で所望の容量を正確に計量できるとともに、計量後の計量物を他の容器に容易に移すことができることを突き止め、本発明に到達した。
【発明の効果】
【００１０】
このように、本発明の計量用具は、前後に延びる柄部と、上記柄部の前側に設けられる上面開口凹状の収容部とを備え、上記収容部が、上記柄部の前端面に一体的に設けられる垂直壁部と、上記垂直壁部に着脱自在に取り付けられる略１／４球殻状の凹状部材とで構成されている。このため、凹状部材を垂直壁部から取り外すだけで、計量物と接した個所を簡単に洗浄できるため、清浄に保ちやすく、使い勝手がよい。また、上記凹状部材の内側に、上記凹状部材の内周面に沿って摺動しうる可動板が設けられ、上記凹状部材の内周面と上記可動板の前壁面とで計量部が形成されるようになっているため、可動板を摺動させるだけで、上記収容部の容量を減少させ、計量部を任意の容量に設定することができる。そして、上記柄部の一側面に沿って摺動自在に容量調整部が設けられ、上記容量調整部の先端部は可動板と連結されており、上記容量調整部の前進に伴い上記可動板が前方に回動して計量容積が減少し、上記容量調整部の後退に伴い上記可動板が初期位置に戻るように設定されているため、上記容量調整部を進退させるだけで、上記可動板を摺動させることができる。このため、簡単な操作で上記計量部の容量を変更することができ、操作性に優れている。また、上記柄部の他側面に沿って摺動自在に摺り切り部が設けられ、上記摺り切り部が、初期位置では上記計量部上面開口より後方に位置決めされ計量動作後前進して計量部から盛り上がった余剰の計量物を摺り切って除くよう設定されているため、正確な計量が簡単にできる。さらに、上記摺り切り部に、上記計量部と連通する計量物排出部が設けられ、計量された計量物が上記計量物排出部を経由して排出されるようになっているため、計量物を哺乳瓶等の容器に移す際に、手指の無理な動きがなく、簡単に計量物を移すことができる。よって、計量物排出部の開口端を細くして哺乳瓶等、口の小さな容器に合わせても、計量部自体の開口部は広くすることができるため、計量部の深みを小さくすることができる。このため、計量物を１回で全量をすくい入れた場合にも、内部に空洞ができたり、偏ったりすることなく、より正確に計量することができる。
【００１１】
また、上記容量調整部が、上記柄部の裏面側に設けられている場合には、摺り切り部を摺動させる際等の操作時に、手指が上記容量調整部に不用意に当たって計量部の容量が変更されることを防止できるため、より計量の正確性を保つことができる。
【００１２】
そして上記柄部に、容量調整部を保護するための保護部が設けられている場合には、摺り切り部を摺動させる等の操作時に、手指が不用意に当たって計量部の容量が変更されることを確実に防止できるため、より一層、計量の正確性を保つことができる。
【００１３】
さらに、上記摺り切り部が、上記収容部の上面開口を覆う蓋体に形成されているとともに、計量物排出部が蓋体の一部を盛り上げ形成することにより形成されている場合には、上記摺り切り部および計量物排出部が計量部の上端開口部を覆うため、計量物をこぼすことがない。また、計量物排出部を経由する計量物を、哺乳瓶等の口の小さい容器にも移し易くなる。
【００１４】
また、上記計量物排出部が、内側からみて断面半円状の凹溝に形成されている場合には、余剰の計量物を摺り切って除いた後、計量物を哺乳瓶等の容器に移す際、計量物をスムーズに移行させることができ、計量物を摺り切り部内に取り残すことがないため、計量の正確性がより保たれる。また、洗浄しやすい形状であるため、洗い残し等が発生せず、清浄性をより保つことができる。
【００１５】
そして、上記計量物排出部の開口端が、上記収容部の外周縁から外方に突出している場合には、計量物排出部の突出部分を哺乳瓶等の開口縁部に沿わせ易くなり、計量物をこぼさずに移すことがより簡単にできるようになる。
【図面の簡単な説明】
【００１６】
【図１】本発明の計量用具の一実施の形態を示す斜視図である。
【図２】上記計量用具の摺り切り部をスライドさせた状態を示す斜視図である。
【図３】上記計量用具を裏面側から見た状態を示す斜視図である。
【図４】上記計量用具の柄部および垂直壁部を示す斜視図である。
【図５】上記計量用具の柄部および垂直壁部を裏面側から見た状態を示す斜視図である。
【図６】（ａ）は上記計量用具の凹状部材を示す斜視図であり、（ｂ）はその側面図である。
【図７】上記計量用具の可動板および容量調整部を示す斜視図である。
【図８】上記計量用具の可動板および容量調整部が連結された状態を示す斜視図である。
【図９】上記計量用具の摺り切り部を示す斜視図である。
【図１０】上記計量用具の摺り切り部を裏面側から見た状態を示す斜視図である。
【図１１】上記計量用具を組み立てる方法の説明図である。
【図１２】上記計量用具を組み立てる方法の説明図である。
【図１３】上記計量用具の計量部の容量を調整する際の動作説明図である。
【図１４】上記計量用具で計量物をすくい取った状態を示す部分側面図である。
【図１５】上記計量用具で計量物を摺り切り計量した状態を示す部分側面図である。
【図１６】上記計量用具の可動板および容量調整部の連結状態の他の例を示す斜視図である。
【発明を実施するための形態】
【００１７】
つぎに、本発明を実施するための形態について説明する。ただし、本発明は、この実施の形態に限定されるものではない。
【００１８】
図１は、本発明の一実施の形態である計量用具を示しており、図２は、その計量用具における摺り切り部を摺動させ、計量部が見える状態を示し、図３はこれを裏面側から示している。この実施の形態の計量用具は、粉ミルク計量用であり、前後に延びる柄部１と、上記柄部の前側に設けられる上面開口凹状の収容部１４とを備えている。そして、この収容部１４が、上記柄部１の前面に一体的に設けられる垂直壁部２と、この垂直壁部２に着脱自在に取り付けられる略１／４球殻状の凹状部材３とで構成されている。この凹状部材３の内側には、それ自体の上縁部が、後述するように、上記垂直壁部２と凹状部材３との間に形成される特定の凹部と係合することによって、上記垂直壁部２に対し回動自在に取り付けられ他の縁部が上記凹状部材３の内周面に沿って摺動しうる可動板４が設けられ、上記凹状部材の内周面と上記可動板４の前壁面とで計量部５が形成されている。さらに、上記柄部１には、その裏側面に沿って摺動自在に容量調整部６が設けられており、上記容量調整部６の前進に伴い上記可動板４が前方に回動して計量部５の計量容積が減少し、上記容量調整部６の後退に伴い上記可動板４が初期位置に戻るようになっている。
【００１９】
一方、上記柄部１の表側面に沿って摺動自在に摺り切り部７が設けられ、上記摺り切り部７が、初期位置では図２に示すように、上記計量部５上面開口より後方に位置決めされ、計量動作後、図１に示すように前進して計量部５から盛り上がった余剰の粉ミルクを摺り切って除くよう設定されている。また、上記摺り切り部７の摺動方向に略直交する部分に、摺り切り状態において上記計量部５と連通する計量物排出部８が設けられ、計量された粉ミルクが上記計量物排出部８を経由して排出されるようになっている。なお、これらの構成品の材質は、ポリプロピレン樹脂である。また、図１〜３において、各部分は模式的であり、実際の大きさとは異なっている（以下の図においても同じ）。
【００２０】
より詳しく説明すると、上記柄部１は、図４および図５に示すように、平面視略長方形をした長板状をしており、上記柄部１の前端面には、垂直壁部２が一体的に形成されており、その後端部分には、計量用具を吊り下げるための貫通する貫通孔１０が形成されている。また、柄部１の裏面には、この部分に取り付けられる容量調整部６を保護するための、柄部１の長手方向に沿った開口９ａを有する保護部９が垂設されている。この保護部９の内側には、計量部５の容量を設定するための目盛り（図示せず）が刻設されている。
【００２１】
上記垂直壁部２は、図４および図５に示すように、手前から見ると略半円状をしており、その中心部分に上記開口９ａと一部が繋がる貫通孔２ａが設けられている。この貫通孔２ａは、上記可動板４および容量調整部６を取り付けるためのものである。また、垂直壁部２の外縁部は、手前側に環状に立ち上がっており、その周壁内側の左右上端の２箇所に、凹状部材３を取り付けるための凹条２ｂが形成されている。そして、上記左右の凹条２ｂのそれぞれ上側に、半円状の切欠２ｃが形成されている。
【００２２】
また、上記垂直壁部２とともに収容部１４（図１参照）を形成する上記凹状部材３は、斜視図を図６（ａ）に、側面図を図６（ｂ）に示すように、略１／４球殻状をしており、上記垂直壁部２の凹条２ｂに対応する左右の位置に、これら凹条２ｂに嵌入される凸条３ａが形成されている。また、凹状部材３の左右の上部の内側に、上記切欠２ｃに対応する半円状の切欠３ｂが形成されている。上記凹条２ｂと凸条３ａを利用して、凹状部材３を垂直壁部２に取り付けると、上記半円状の切欠２ｃと半円状の切欠３ｂとが突き合わせられて、一つの円形の凹部が形成され、この部分に、以下に述べる可動板４の回転軸４ａが、回動自在に保持されるようになっている。
【００２３】
すなわち、上記可動板４は、図７に示すように、略半円状の板体の上部に回転軸４ａが形成された構成になっており、この回転軸４ａの両端が、上記垂直壁部２および凹状部材３の切欠２ｃ、切欠３ｂとで形成された円形の凹部に係合して、回動自在に取り付けられるようになっている。そして、この可動板４の後壁面には、先端に設けた爪４ｄ，４ｄ’が互いに向き合うように連結壁４ｂ，４ｂ’が突出形成されている。さらに、可動板４の半円周縁４ｃには、合成ゴム材が取り付けられており、上記凹状部材３の内周面に沿って摺動させても、凹状部材３との当接状態が保たれ、粉ミルクが両者の間から漏れることがない。
【００２４】
そして、上記収容部１４において、この可動板４の前壁面と上記凹状部材３の内周面とで仕切られる空間が計量部５となり、その容量は、以下に述べる容量調整部６を操作することによって、調整可能になっている（図１３参照）。
【００２５】
上記容量調整部６は、図７に示すように、略長方体の先端部分の下側が、略逆Ｌ字状に突出するように形成されており、その略逆Ｌ字状部分を、上記連結壁４ｂ，４ｂ’の間に挿入することにより、図８に示すように、上記可動板４と連結されている。この場合、容量調整部６の先端上部の左右２箇所に設けた凸部６ｃ（６ｃ’）および後端下部の左右２箇所に設けた凸部６ｂ（６ｂ’）は、それ以上可動板４が摺動しないようにする当て止めとなり、上記可動板４の爪４ｄ，４ｄ’は、容量調整部６の抜け止めとなっている。
【００２６】
上記容量調整部６は、柄部１の裏側面に沿って摺動自在に設けられており、容量調整部６を前進させると、上記可動板４が前方に回動して、上記計量部５の容積が減少し、後退させると、上記可動板４が初期位置に戻るようになっている。したがって、計量部５の容量を任意に調整することができる。なお、すでに述べたように、この容量調整部６を保護する上記保護部９の内側には目盛りが刻設されているため、上記容量調整部６に予め設けられている目印を、上記目盛りに合わせることにより、計量部５の容量を所望のものに設定することができる。
【００２７】
一方、上記柄部１の表側面には、その面に沿って摺動自在に摺り切り部７が設けられている（図１、図２に戻る）。上記摺り切り部７は、図９および図１０に示すように、上記計量部５（図２参照）の開口部よりもわずかに大きい略半円状の開口を有するドーム型をしており、凹状部材３および垂直壁部２に嵌合して、計量部５の上方開口を覆う蓋体に形成されている。摺り切り部７の後端部分には、垂直壁部２の後端部分に当接してそれ以上前に行かないようにしたストッパー部１１が、摺り切り部７の開口面より下方に突出形成されている。したがって、摺り切りが完了すると、摺り切り部７がそれ以上前方に摺動しないようになっている。そして、上記摺り切り部７の摺動方向に略直交する部分には、内側からみて断面半円状の凹溝の計量物排出部８が形成されており、その半円状の開口端が、凹状部材３の外周縁から外方に突出している。
【００２８】
上記摺り切り部７の後端部には、上記柄部１の長手方向に沿う摺動を簡単にするために、その外面からスライド部１２が連設されている。このスライド部１２は、図９および図１０に示すように、摺り切り部７の開口面と平行で、その長軸と直交する方向に長い部材であり、その長手方向に垂直な断面が略Ｕ字をしており、この略Ｕ字の開口部を下方にしている。そして、スライド部１２の先端部分（摺り切り部７側）には、上記柄部１に取り付けた際、これを保持するための保持部１２ａが垂設されており、この保持部１２ａの下側には、スライド部１２が上方に外れないように係止片１２ｃが形成されている。このスライド部１２は、柄部１の後端部から着脱自在に取り付けることができる。また、スライド部１２の後端部分には、手指を掛けるための突起１２ｂが上方に突出形成されている。
【００２９】
そして、この計量用具を組み立てるには、図１１に示すように、まず、可動板４と容量調整部６とを連結する。これを、容量調整部６の後端側から上記垂直壁部２の貫通孔２ａに挿入し、容量調整部６を保護部９内に収めるようにして取り付ける。ついで、図１２に示すように、垂直壁部２の切欠２ｃに可動板４の回転軸４ａを係合させ、凹状部材３の凸条３ａと垂直壁部２の凹条２ｂとを嵌合させることにより、凹状部材３を垂直壁部２に取り付ける。そして、摺り切り部７を、柄部１の後方からスライド部１２の係止片１２ｃおよび突起１２ｂを利用して取り付けることにより、計量用具の組立てが完了する。
【００３０】
上記構成において、粉ミルクを計量する場合は、つぎのようにする。まず、上記容量調整部６を上記保護部９の内側の目盛りに合わせ前進あるいは後退させ、計量部５（上記可動板４の前壁面と上記凹状部材３の内周面とで仕切られる空間）の容量を所望の容量に決定する。すなわち、上記容量調整部６には、図１３に示すように、可動板４が回転軸４ａを中心に上記凹状部材３の内周面に沿って摺動するように連結されている。このため、上記容量調整部６を前後に移動させるだけで、計量部５の容量を任意に調整することができる。つぎに、上記スライド部１２を後方に摺動させることにより、図２に示すように、上記摺り切り部７を上記計量部５の後方に位置させる。ついで、この状態のまま、図１４に示すように、計量部５に粉ミルクＱをすくい入れる。そして、スライド部１２を前方に摺動させながら、摺り切り部７の前方部分で計量部５から盛り上がった余剰の粉ミルクＱを摺り切って除いていく。最後に、図１５に示すように、摺り切り部７を計量部５の上方に位置させて凹状部材３と垂直壁部２に嵌合するまでスライド部１２を前方に摺動させることにより、計量部５から盛り上がった余剰の粉ミルクＱを完全に摺り切って除く。このようにすることにより、粉ミルクＱの計量が完了する。
【００３１】
つぎに、計量した粉ミルクＱを哺乳瓶に移す。この場合、まず、上記計量物排出部８の突出部分の下端を哺乳瓶の開口縁部上端に当接させる。ついで、上記計量用具を持つ手首を少し曲げることにより、計量物排出部８の開口端の開口を下方に向け、この開口を経由させて、粉ミルクを哺乳瓶の中に入れる。このようにすることにより、粉ミルクを哺乳瓶に移すことができる。
【００３２】
なお、乳児の月齢が高くなる等して、１回に必要な粉ミルクの量が変更になる場合や、異なるメーカーの粉ミルクに変えたりして、計量すべき容量が他の容量となる場合には、容量調整部６を、保護部９の内側に刻設されている目盛りに合わせて前進あるいは後退するよう摺動するだけでよい。すなわち、容量調整部６を操作するだけで、可動板４が凹状部材３の内周面に沿って摺動するため、可動板４の前壁面と凹状部材３の内周面とでつくられる空間からなる計量部５の容量をワンタッチで所望の容量に変更できる（図１３参照）。
【００３３】
このように、この実施の形態の計量用具によれば、柄部１の一端に設けられた垂直壁部２に、略１／４球殻状の凹状部材３が、それ自体の内周壁と上記垂直壁部２とで収容部１４を形成するように着脱自在に取り付けられているため、凹状部材３を取り外すことができ、粉ミルクＱと接した箇所を簡単に洗浄できるため、清浄に保ちやすい。また、上記凹状部材３の内側に、それ自体の上縁部が上記垂直壁部２に対し回動自在に取り付けられ他の縁部が上記凹状部材３の内周面に沿って摺動しうる可動板４が設けられ、上記凹状部材３の内周面と上記可動板４の前壁面とで計量部５が形成されているため、可動板４を摺動させるだけで、上記収容部１４の容量を減少させ、計量部５を任意の容量に設定することができる。そして、上記柄部１の裏側面に沿って摺動自在に容量調整部６が設けられ、上記容量調整部６の前進に伴い上記可動板４が前方に回動して計量部５の容積が減少し、上記容量調整部６の後退に伴い上記可動板４が初期位置に戻るように設定されているため、簡単な操作で上記計量部５の容量を変更することができ、複数のスプーンや計量部を準備する必要がない。
【００３４】
そして、上記柄部１にその長手方向に沿って摺動自在に取り付けられ上記計量部５から盛り上がった余剰の粉ミルクＱを摺り切って除く摺り切り部７が設けられているため、正確な計量が簡単にできる。さらに、摺り切り部７の摺動方向に略直交する部分に設けられ摺り切り状態において上記計量部５と連通する計量物排出部８が設けられているため、粉ミルクＱを哺乳瓶等の容器に移す際に、手指の無理な動きがなく、簡単に粉ミルクＱを移すことができる。したがって、計量物排出部８の開口端の大きさを哺乳瓶等の容器の口の大きさに合わせることができるため、計量部５の開口部を広くすることができ、これにともなって、計量部５の深みを小さくすることができる。このため、粉ミルクＱを１回で全量をすくい入れた場合にも、内部に空洞ができることがなくなるとともに、１回すくい入れただけで、計量部５に充分な量の粉ミルクＱをすくい入れることができるようになる。
【００３５】
また、上記容量調整部６が、上記柄部１の裏面側に設けられているため、摺り切り部７を摺動させる等の操作時に、手指が容量調整部６に不用意に当たって計量部５の容量が変更されることを防止でき、より計量の正確性が保つことができる。そして、上記柄部１に、容量調整部６を保護するための保護部９が設けられているため、摺り切り部７を摺動させる際等の操作時に、手指が容量調整部６に不用意に当たって計量部５の容量が変更されることを防止できるため、さらに計量の正確性を保つことができる。
【００３６】
さらに、上記摺り切り部７が、上記垂直壁部２および凹状部材３からなる収容部１４の上端開口部を覆う蓋体に形成されているとともに、計量物排出部８が蓋体の一部を盛り上げ形成することにより形成されているため、計量部５の上端開口部は上記摺り切り部７および計量物排出部８によって覆われており、上記計量物排出部８以外の部分から粉ミルクＱがこぼれない。したがって、哺乳瓶等の口の小さい容器にも粉ミルクＱを移し易い。
【００３７】
そして、計量物排出部８は、摺り切り部７の開口部の長軸に沿って、すなわち、摺り切り部７の摺動方向に略直交して形成されているため、上記計量用具を持つ手首を少し曲げるだけで、計量物排出部８の開口端の開口を下方に向けて、粉ミルクＱを哺乳瓶の中に入れることができる。また、計量物排出部８の開口は、対称的に２つ形成されているため、一方の開口から粉ミルクＱを排出する際、他方の開口が空気流入口となり、粉ミルクＱの排出をスムーズに行うことができる。
【００３８】
さらに、上記摺り切り部７に設けられた計量物排出部８が、内側からみて断面半円状の凹溝に形成されているため、余剰の粉ミルクＱを摺り切って除いた後、粉ミルクＱを哺乳瓶等の容器に移す際、粉ミルクＱを上記断面半円状の凹溝を利用して排出することもでき、これを摺り切り部７内に取り残すことがなく、より計量の正確性を保つことができる。また、断面半円状の凹溝に形成された部分が、洗浄しやすい形状であるため、洗い残しがなく、より清浄な状態を保つことができる。
【００３９】
また、上記計量物排出部８の開口端が、上記垂直壁部２および凹状部材３からなる収容部１４の外周縁から外方に突出しているため、計量物排出部８の突出部分を哺乳瓶等の開口縁部に沿わせ易く、粉ミルクＱをこぼさずに移すことがより簡単にできる。
【００４０】
そして、上記スライド部１２には、上方に突出する突起１２ｂが形成されているため、手指をその突起１２ｂに掛けることができ、スライド部１２を摺動させやすい。
【００４１】
つぎに、図１６は、上記の実施の形態において、上記可動板４と容量調整部６との連結を、継ぎ手１３を介して行った変形例を示している。この形態においても、上記実施の形態と同様の作用、効果を奏する。さらに、継ぎ手１３を介して両者を連結すると、可動板４の摺動がなめらかな動きになるため、より快適な操作ができるとともに、より正確な計量が可能となる。なお、上記継ぎ手１３を介して両者を結合するには、互いの連結部にピンを挿入して連結してもよいし、互いの当接面に係合用の凹凸を設けて嵌合することにより連結してもよい。
【００４２】
なお、上記の実施の形態では、計量用具の各構成品の材質をポリプロピレン樹脂としたが、これに代えて、他の合成樹脂、木、ステンレス等の金属等を用いることができる。また、計量用具の寸法も、使い易いように適宜決められる。
【００４３】
また、上記の実施の形態では、計量物排出部８の開口は、摺り切り部７に２つ形成したが、１つでもよい。この場合、摺り切り部７の頂部等に空気流入口を設けることが好ましい。
【００４４】
そして、上記の実施の形態では、摺り切り部７に、その摺動を簡単にするためにスライド部１２を設けたが、スライド部１２を設けずに、摺り切り部７を直接柄部１に対して摺動させてもよい。また、摺動させる手段は他の手段によってもよい。例えば、柄部１に、その長手方向に沿ってスリットを形成するとともに、摺り切り部７の後端部に、上記スリットに挿入する突出部材を設けるようにしてもよい。
【００４５】
そして、上記の実施の形態では、保護部９の内側に目盛りを刻設したが、内側に限らずその他の部分、あるいは他の部材に目盛りを設けるようにしてもよい。また、その方法も刻設だけでなく、印刷等の他の手法で設けるようにしてもよい。
【００４６】
さらに、上記の実施の形態では、粉ミルクを計量する場合を示したが、勿論、調味料や医薬品等のその他の粉状物，粒状物等を計量することもできる。
【産業上の利用可能性】
【００４７】
本発明は、粉状物，粒状物等の計量物を計量するのに用いる計量用具として、好適に用いることができる。
【符号の説明】
【００４８】
１  柄部
２  垂直壁部
３  凹状部材
４  可動板
５  計量部
６  容量調整部
７  摺り切り部
８  計量物排出部
【図１】
0005759278.tif 000002
【図２】
0005759278.tif 000003
【図３】
0005759278.tif 000004
【図４】
0005759278.tif 000005
【図５】
0005759278.tif 000006
【図６】
0005759278.tif 000007
【図７】
0005759278.tif 000008
【図８】
0005759278.tif 000009
【図９】
0005759278.tif 000010
【図１０】
0005759278.tif 000011
【図１１】
0005759278.tif 000012
【図１２】
0005759278.tif 000013
【図１３】
0005759278.tif 000014
【図１４】
0005759278.tif 000015
【図１５】
0005759278.tif 000016
【図１６】
0005759278.tif 000017